(57)【要約】      （修正有）【課題】クローゼット内等の壁面に沿って、大きなスペースを大きく取ることなく容易に扁平物品の収納が行える保持収納装置を提供する。【解決手段】同形態の一対の保持収納体３よりなり、保持収納体３が、縦長形態の本体部２と、本体部２の側位置から折れ曲がり延び出す取り付け片７に端部が取り付けられ本体部２との間に所定巾の保持スペース１１を形成するように設けられる保持体９と、本体部２の下部に保持スペース１１の下方に位置するように設けられる受け体１３とを備え、一対の保持収納体３が、それぞれの保持スペース１１が互いに相対する状態とされ、本体部２が壁面Ｗに取り付け配置されて構成される。【選択図】図１
0003226004.tif 000002
【実用新案登録請求の範囲】
【請求項１】
同形態の一対の保持収納体よりなり、
前記保持収納体が、縦長形態の本体部と、前記本体部の側位置から折れ曲がり延び出す取り付け片に端部が取り付けられ前記本体部との間に所定巾の保持スペースを形成するように設けられる保持体と、前記本体部の下部に前記保持スペースの下方に位置するように設けられる受け体とを備え、
前記一対の保持収納体が、それぞれの前記保持スペースが互いに相対する状態とされ、前記本体部が壁面に取り付け配置されて構成される物品の保持収納装置。
【請求項２】
前記保持収納体のそれぞれが、前記壁面にガイドレールを介して互いの間隔を調整可能に取り付けられる請求項１記載の物品の保持収納装置。
【請求項３】
前記壁面を、クローゼット内壁面とする請求項１または２記載の物品の保持収納装置。
【考案の詳細な説明】
【技術分野】
【０００１】  この考案は、クローゼット内等において配置使用される物品の保持収納装置に関する。
【背景技術】
【０００２】  最近の住宅の場合、生活スペースを広く取るために「押し入れ」と呼ばれる収納部を固定的に設ける場合が少なくなり、部屋の一部を仕切ってそこを衣服等の収納部とするクローゼットが普及している。一方、使用時期が異なる布団等は真空のパック内に納め扁平形態とできるようになっているが、平面形状が大きいのでクローゼット内への収納がうまく行えない問題があった。
【考案の概要】
【考案が解決しようとする課題】
【０００３】  この考案は上記の事情に鑑みて行ったもので、クローゼット内等において布団の真空のパック体等の扁平物品の収納が、好適に行われる物品の保持収納装置を提供することを目的とする。
【課題を解決するための手段】
【０００４】  この考案では、同形態の一対の保持収納体よりなり、前記保持収納体が、縦長形態の本体部と、前記本体部の側位置から折れ曲がり延び出す取り付け片に端部が取り付けられ前記本体部との間に所定巾の保持スペースを形成するように設けられる保持体と、前記本体部の下部に前記保持スペースの下方に位置するように設けられる受け体とを備え、前記一対の保持収納体が、それぞれの前記保持スペースが互いに相対する状態とされ、前記本体部が壁面に取り付け配置されて構成される物品の保持収納装置を提供する。【０００５】  上記構成によれば、収納物品は下部の両端のそれぞれが保持収納体それぞれの受け体上に載置され両側部が保持スペースそれぞれに位置するように収納される。保持体のそれぞれがあることで収納物品は前方に倒れることがないとともに、取り付け片があることで収納物品は横ずれすることがない。これによりクローゼット内等において扁平形態の収納物品が壁面に沿うようにして安定した状態に収納される。この考案の物品の保持収納装置は、家屋の部屋の壁面や家具の側板の外壁面等においても適宜配置使用される。【０００６】  保持収納体のそれぞれが、壁面にガイドレールを介して互いの間隔を調整可能に取り付けられる構成とされることで、異なる巾の物品の収納が容易に行えるようになる。【０００７】  この考案の物品の保持収納装置は、クローゼット内壁面において好適に使用される。
【考案の効果】
【０００８】  この考案によれば、壁面に沿って大きなスペースを大きく取ることなく扁平物品等の収納が容易に行え、クローゼット内等における布団の真空のパック体の収納が容易に行えるようになる。
【図面の簡単な説明】
【０００９】
【図１】  この考案の保持収納装置の実施形態の斜視図
【図２】  この考案の保持収納装置の実施形態で使用する保持収納体の背面側斜視図
【図３】  この考案の保持収納装置の実施形態で使用する保持収納体の取り付け側面図
【図４】  この考案の保持収納装置の他の実施形態の斜視図
【考案の実施形態】
【００１０】  図１はこの考案の保持収納装置１の実施形態の斜視図であり、保持収納装置１は同形態の一対の保持収納体３、３が配置されて構成され、図２は保持収納体３の背面側斜視図である。
【００１１】  保持収納体３は鋼板よりなり、８０ｃｍの細長形態の本体部２の一方の側位置に沿って前方への折れ曲がり部５を備え、折れ曲がり部５の両端位置と中央位置からは取り付け片７のそれぞれが前方に突出して設けられている。取付け片７のそれぞれには取り付け穴が設けられ、上部の取り付け片７と中央位置の取り付け片７それぞれにおける取付け穴位置には、円柱状の１５ｃｍ長さの保持バー９（保持体）のそれぞれがネジ１３により固定されて取り付けられている。保持バー９のそれぞれは本体部２との間に１０ｃｍの間隔を持つ保持スペース１１を形成するように取り付けられている。下部の取り付け片７の取付け穴位置には受けプレート（受け体）１２が上記保持スペース１１に相対するようにネジ１４により固定されて取り付けられている。また、本体部２は上部に２個の取り付け穴を下端近傍に１個の取り付け穴を備え、上部の取付け穴位置にネジ１９それぞれにより背面に突出する移動係止部材２１が取り付けられ、下部の取付け穴位置にネジ２０により背面に突出する当接片１６が取り付けられている。
【００１２】  上記構成の一対の保持収納体３が、それぞれの保持スペース１１が互いに相対する状態において、図３に示すように、係止移動部材２１の係止部がクローゼットの奥の壁面Ｗに水平方向に付設されたガイドレール３０に係止されて取り付けられ、保持収納装置１が配置構成される。その際、保持収納体３は背部の当接片１６が壁面Ｗ面に当接することで垂直方向に配置される。また、保持収納体３がガイドレール３０に沿って移動されることで、保持収納体３は互いの間隔が調整可能に配置される。
【００１３】  次に、保持収納装置１における物品の収納使用について説明する。点線図示の収納物品１００は布団の真空のパック体で、下部の両端のそれぞれが保持収納体３それぞれの受けプレート１２上に載置されて、両側部が保持スペース１１それぞれに位置するように収納される。保持バー９のそれぞれがあることで収納物品１００は前方に倒れることないとともに、折れ曲がり部５と取り付け片７があることで収納物品１００は横ずれすることがなく、これにより収納物品１００は壁面Ｗに沿うようにして安定した状態に収納される。その際、保持収納体３をガイドレール３０に沿って移動させて互いの間隔を適宜調整することで、異なる巾の収納物品１００の収納が容易に行える。
【００１４】  上記のようにして、クローゼット内の奥位置下部に、スペースを取ることなく適宜幅の扁平な収納物品１００の収納が容易に行われる。
【００１５】  図４は他の実施形態を示す。この実施形態における保持収納装置７０は、折れ曲がり状の保持プレート５０（保持体）にさらに２個の折れ曲がり状の補助保持プレート５１を順次連接して保持収納体６０を構成している。このような構成により必要に応じて補助保持プレート５１を増やすことで多くの収納物品の収納が行われる。最下段の保持プレート５０、補助保持プレート５１に一体に受けプレート５２を取り付けている。
【符号の説明】
【００１６】１      保持収納装置
２      本体部
３      保持収納体
７      取り付け片
９      保持バー（保持体）
１１    保持スペース
１３    受けプレート（受け体）
Ｗ      壁面
【図１】
0003226004.tif 000003
【図２】
0003226004.tif 000004
【図３】
0003226004.tif 000005
【図４】
0003226004.tif 000006